(57)【特許請求の範囲】
【請求項１】
後部の出入口に開閉可能なドアを有し、粉粒体を入れた内袋が装着される汎用コンテナの上記出入口に内袋保持のため着脱可能に取付けられる内袋用セッティング枠であって、両端が上記出入口の両側に形成される縦溝に嵌着される複数の横桟と、該横桟とは別体をなして上記縦溝内に装着され、横桟の端部を支持して該横桟を設定の高さに支持するスペーサと、上記横桟に着脱可能に取着され、コンテナ内に装着された内袋に入れられる粉粒体を排出するためのシュート状の排出口とよりなり、上記スペーサは、その両端の少なくとも一方に長手方向に延びる細板状の当て片を突設した角パイプよりなり、上記スペーサを縦溝内に装着した状態で当て片が縦溝底に接することを特徴とするコンテナの内袋用セッティング枠。
【請求項２】
スペーサを縦溝底より一定の間隔を存して横向きに取付けられる丸棒の内側から縦溝内に差込み、ついで横桟端部を縦溝内に嵌着してスペーサ上に支持させ、横桟を横架したのち、その上に別の横桟を重ねるか或いは重ねないで、縦溝に装着されるスペーサを介して更に別の横桟を横架し、その後、横桟にシュート状の排出口を取着することを特徴とする請求項１記載のセッティング枠の組付け方法。
【請求項３】
排出口は上下に平行に横架される複数の横桟のうち、下側部の横桟に取着されることを特徴とする請求項２記載のコンテナの内袋用セッティング枠の組付け方法。
【請求項４】
排出口に横桟に引掛けられるフックを設けたことを特徴とする請求項１記載のコンテナの内袋用セッティング枠。
【請求項５】
横桟に引掛けられるフックを備えた縦桟と、該縦桟に形成される被係止部と、排出口に設けられ、上記被係止部に係脱可能に係止して取着される係止部よりなることを特徴とする請求項１記載のコンテナの内袋用セッティング枠。
【請求項６】
コンテナ床面に取外し可能に固定される止め金具を設け、角パイプよりなる縦桟の下端をコンテナ床面に固定される止め金具の上向きに突出する差込部に差し込むことを特徴とする請求項４記載のコンテナの内袋用セッティング枠。
【発明の詳細な説明】
【０００１】
【発明が属する技術分野】
本発明は、後部の出入口に開閉可能なドアを有し、粉体や粒体或いはその混合物（以下、「粉粒体」という）を入れた内袋が装着される汎用コンテナにおいて、ドアを開けたときコンテナから内袋が溢れ出るのを防止するため上記出入口に着脱可能に取着される内袋用セッティング枠と、その組み付け方法に関する。
【０００２】
【従来技術】
粉粒体を貯蔵或いは輸送するためのコンテナとして特開平１１−５９７８１号には、粉粒体の投入口を上方に設けると共に、排出口を後部下方に下向きに傾斜させて突出し、かつ排出口に向かって傾斜ないし彎曲する当て板を取付けて排出口近くのコーナー部をなくし、これにより粉粒体が滞ることなく排出口よりスムースに排出されるようにしたバルクコンテナが提案されている。
【０００３】
【発明が解決しようとする課題】
本発明は、後部の出入口に開閉可能なドアを有する汎用コンテナを特開平１１−５９７８１号に示されるような粉粒体のバルクコンテナとして使用できるようにするもので、粉粒体を入れた内袋が装着されるコンテナの出入口に着脱可能に取付けられる、運搬、保管、取扱い更には製作の容易な内袋用セッティング枠と、その組み付け方法を提供することを目的とする。
【０００４】
【課題の解決手段】
後部に開閉可能なドアを有する汎用コンテナとして図１に示すように、外側壁が波板より構成され、ドア２を軸支するヒンジ３の近くに矩形断面の縦溝４を形成したものが知られる。
【０００５】
本発明は、上記縦溝を利用して取付けできるようにしたもので、請求項１に係わる発明は、後部の出入口に開閉可能なドアを有し、粉粒体を入れた内袋が装着される汎用コンテナの上記出入口に内袋保持のため着脱可能に取付けられる内袋用セッティング枠であって、両端が上記出入口の両側に形成される縦溝に嵌着される複数の横桟と、該横桟とは別体をなして上記縦溝内に装着され、横桟の端部を支持して該横桟を設定の高さに支持するスペーサと、上記横桟に着脱可能に取着され、コンテナ内に装着された内袋に入れられる粉粒体を排出するためのシュート状の排出口とよりなり、上記スペーサは、その両端の少なくとも一方に長手方向に延びる細板状の当て片を突設した角パイプよりなり、上記スペーサを縦溝内に装着した状態で当て片が縦溝底に接することを特徴とする。
【０００６】
本発明において、横桟をコンテナ床面より一定の高さに横架するときには、出入口両側の縦溝内に同じ長さのスペーサを装着して床面上に立て、その上に縦溝に嵌着した横桟の端部を置いて掛け渡す。横桟間に一定の間隙を設ける場合も同様で、縦溝内にスペーサを装着して横桟端部上に立て、その上に別の横桟を同様にして掛け渡す。
【０００７】
なお、内袋内の粉粒体を排出する際には、ドアを開け、横桟に排出口を取付けて内袋の排出口に接続する。ついでトレーラの荷台に載せた汎用コンテナを荷台ごと後ろ下がりに傾斜させる。これにより内袋用の粉粒体が排出口を通して排出される。
【０００８】
本発明で用いる横桟は木製であってもよいが、好ましくは品質強度が安定し、繰返使用するのに適したアルミニウムや鉄等の金属製とされ、なかでも比較的安価で品質強度に優れた鋼製が望ましい。
【０００９】
横桟はまた、好ましくはスペーサと共に、角パイプ、より好ましくはスペーサと同じサイズの角パイプより構成される。
【００１０】
横桟とスペーサを角パイプとすることにより、軽量かつ曲げ剛性が向上し、また丸パイプに比べ、スペーサの上端面と接触する横桟の接触面積ないし接触箇所が増えて横桟の架設状態が安定し、分解したのちも転がることがなく取扱が容易であり、更には横桟及びスペーサ共、角パイプを所定の長さに切断することにより容易に得ることができる。とくに横桟とスペーサを同じサイズの角パイプにすると、同じサイズの角パイプを切断するだけで横桟及びスペーサを得ることができる。
【００１１】
本出願人は先に、この種内袋用セッティング枠として、横桟にスペーサとしての脚を固定したものについて提案した。こうしたものにおいては、セッティング枠の組付けは、横桟上に脚を載せることにより行われ、縦溝内でスペーサと横桟を組み付ける作業が省けるため、組み付けは容易であるが、運搬や保管時のスペースが嵩むこと、スペーサが他に引掛かったり、当たったりしがちで、取扱にくゝなること、ことに多くの汎用コンテナにおいては縦溝内に図１に示すように、丸棒５が上下方向に適当間隔で横向きに取付けられているものが多いため、横桟を上下に傾けて横桟両端を縦溝内に装着しようとすると、脚が上段に位置する丸棒に引掛かり易く、縦溝への装着が行いにくゝなると共に、脚が丸棒に引掛かると、丸棒を切断せねばならないこと、固定を例えば溶接により行う場合、製作コストも嵩むこと等の難点がある。
【００１２】
これに対し、本発明のように、横桟とスペースが別体であると、上記のような問題を生じない。なお、本発明に係わるセッティング枠はこうした丸棒を備えたコンテナのみならず、丸棒を備えないコンテナにも組付けることが可能である。
【００１３】
請求項２に係わる発明は、請求項１に係わる発明のセッティング枠の組み付け方法に関するもので、スペーサを縦溝底より一定の間隔を存して横向きに取付けられる丸棒の内側から縦溝内に差込み、ついで横桟端部を縦溝内に嵌着してスペーサ上に支持させ、横桟を横架したのち、その上に別の横桟を重ねるか或いは重ねないで、縦溝に装着されるスペーサを介して更に別の横桟を横架し、その後、横桟にシュート状の排出口を取着することを特徴とする。本発明によると、縦溝内に装着されるスペーサは、丸棒５で動きが拘束されて取付状態が安定する。
【００１４】
請求項３に係わる発明は、請求項２に係わる発明において、排出口は上下に平行に横架される複数の横桟のうち、下側部の横桟に取着されることを特徴とする。本発明によると、排出口が取付けられる横桟より上方の横桟は、排出口と関係なく、その取外しが容易に行え、排出口を取付たのちにコンテナ内に入り込む必要が生じた場合でも、上側部の横桟を取外すことにより、コンテナ内に入り込むのが比較的容易に行えるようになる。
【００１５】
本発明によると、横桟端部がスペーサ上に載り、横桟端面で当て片を押え、縦溝底とで当て片を挟持することにより、スペーサが縦溝から出て倒れるのを防止することができ、スペーサを固定状態で支持できるようになる。
【００１６】
請求項４に係わる発明は、請求項１に係わる発明において、排出口に横桟に引掛けられるフックを設けたことを特徴とし、
請求項５に係わる発明は、請求項１に係わる発明において、横桟に引掛けられるフックを備えた縦桟と、該縦桟に形成される被係止部と、排出口に設けられ、上記被係止部に係脱可能に係止して取着される係止部よりなることを特徴とする。
【００１７】
本発明の係止部及び被係止部は、係止部が被係止部に係脱可能で、係止したときに排出口が縦桟に取着できるようなものであればどのようなものでもよく、特に限定されないが、敢えて例示すれば、被係止部としては角パイプよりなる縦桟に形成される差込溝、縦桟に取付けられるコ字状の金具等を挙げることができ、係止部としては差込み溝に差し込まれ、或いはコ字状の金具に引掛けられるフックを挙げることができる。
【００１８】
請求項４に係わる発明においては、横桟にフックを引掛けるだけで排出口を横桟に取着することができ、また請求項５に係わる発明においては、フックを横桟に引掛けて縦桟を取付け、ついで排出口の係止部を縦桟の被係止部に係止させることにより排出口が縦桟に取着され、また逆に排出口を縦桟に取付けたのちに縦桟のフックを横桟に引掛けることにより排出口の取付けが行われる。
【００１９】
請求項６に係わる発明は、請求項４に係わる発明において、コンテナ床面に取外し可能に固定される止め金具を設け、角パイプよりなる縦桟の下端をコンテナ床面に固定される止め金具の上向きに突出する差込部に差し込むことを特徴とする。
【００２０】
本発明によると、縦桟は止め金具を固定した箇所に位置決めして取付けられ、また止め金具に支持されることにより縦桟の取付状態が安定し、これに伴い排出口の取付状態、更には縦桟が連結される横桟の取付状態も安定する。
【００２１】
【発明の実施の形態】
図２は、トレーラの荷台６に載せられる汎用コンテナ７を示すもので、後部の出入口８（図６参照）には図１に示すように、ドア２がヒンジ３により両開き可能に取付けられている。コンテナ内には粉粒体が入れられる内袋（図示しない）が装着され、コンテナの出入口８には上記内袋が溢れ出るのを防止するため内袋セッティング枠９が着脱可能に取付けられている。
【００２２】
内袋セッティング枠９は、図３に示すように、端部が図１に示すコンテナ７の縦溝４に嵌着される横桟１１と、上記縦溝４に装着され、横桟間の間隔を保持するスペーサ１２ａ、１２ｂ、１２ｃと、上端に横桟１１に引掛けられるフック１３を有する縦桟１４と、木製のコンテナ床面に釘を打ち付けることにより取外し可能に固定される止め金具１５と、縦桟１４に取付けられる排出口としてのシュート状の排出金具１６とよりなり、横桟１１、スペーサ１２ａ、１２ｂ、１２ｃ及び縦桟１４はいずれも鋼製の角パイプよりなり、横桟１１と縦桟１４は共に同一サイズで、角パイプを所要長さに切断することにより得られるようになっている。そしてスペーサ１２ａには内側の一側側面に上向きに突出する細幅の鋼板よりなる当て片１７が、スペーサ１２ｂ及び１２ｃには同じく内側の一側側面に上下方向にそれぞれ突出する当て片１７が溶接にて固着されている。
【００２３】
また縦桟１４は、その一側側面に被係止部としてのコ字状の金具１８が一対、上下方向に一定の間隔を存して溶接にて固定されており、止め金具１５は、その一端が上向きに折り曲げられ、差込部１５ａとなっている。排出金具１６は、両側に縦桟１４の上記金具１８に引掛けられる係止部としてのフック１９が一対、上記金具１８と同間隔で上下に溶接にて取付けられている。次にセッティング枠９の上記出入口８への組み付け方法について説明する。
【００２４】
始めに一対の止め金具１５を左右に所定の間隔を存して木製のコンテナ床面に釘打ちにて固定し並設する。これに前後してコンテナ出入口の左右の縦溝４に先ず、スペーサ１２ａを当て片１７が縦溝底に面するようにして丸棒５の内側より縦溝内に差込んで装着する。この状態でスペーサ１２ａは、丸棒５で動きが規制されて倒れないように支持される（図４）。次に横桟１１の各端部を縦桟４に嵌合させ、端面で当て片１７を押し込んで各端部をそれぞれ左右のスペーサ１２ａ上端面に載せ、横架する（図５）。その上に横桟１１を、更にその上に横桟１１を横架して三段に重ねたのち、スペーサ１２ｂを縦溝４内に装着し、下向きに突出する当て片１７を横桟１１の端面と縦溝底との間に差込み、スペーサ１２ｂ下端を横桟１１の上端面に当てゝ支持させる。次に別の横桟１１を左右のスペーサ１２ｂ上に同様にして横架し、この横桟端面と縦溝底とでスペーサ上端より上向きに突出する当て片１７を両側より挟み込みスペーサ１２ｂを支持する。こうしてスペーサ１２ｂは、上下において横桟１１と、縦溝底とで挟持される。その後、更にスペーサ１２ｃをスペーサ１２ｂと同様、縦溝４内に装着して支持させ、その上に別の横桟１１を同様にして横架し、スペーサ１２ｃを上下において横桟１１と縦溝底で挟み込む。
【００２５】
その後、止め金具１５が固定される箇所に対応した箇所に縦桟１４を、その上端のフック１３を三段に重ねて横架される横桟１１に引掛け、下端を止め金具１５の差込部１５ａに差込み取付ける。こうして縦桟１４を一対、取付けたのち、排出金具１６をフック１９を縦桟側面の金具１８に引掛け取付ける。以上のようにしてセッティング枠９の組み付けが行われる。図６は組み付け状態を示す。
【００２６】
上記実施形態では縦溝に丸棒を有するコンテナに組み付けられるセッティング枠について示したが、本実施形態のセッティング枠は縦溝に丸棒を備えていないコンテナに対しても同様に組み付けることができる。内袋に入れられた粉粒体を排出するときには、図２に示すように、コンテナ７を載せたトレーラの荷台６を傾動装置３３に載せ、排出金具１６にホース３４を接続したのち、傾動装置３３によりトレーラの荷台６をコンテナ７と共に傾動させ、図の矢印方向に流れるエアーで内袋内の粉粒体を吸引してホース３４を介し図示省略のサイロに圧送する。図２において、２３は、コンテナ内に排出金具１６に向かって図示しない粘着テープによって取着され、粉粒体を排出金具１６にガイドする斜板上の当て板である。
【００２７】
【発明の効果】
請求項１に係わる発明によると、横桟とスペーサが別体で、分解したときには束ねると容積が小さくなってスペースを取らず、運搬や保管が容易となること、横桟とスペーサが一体のものと比べ、スペーサが他に当たったり、引掛かったりすることがないため取扱が容易であり、また一体化のための製作技術や工程が不要となり安価となること、縦溝に丸棒が設けられる多くの汎用コンテナに対して、丸棒が邪魔になることなく容易に組み付けできること、スペーサより突出する当て片を横桟端面で押え、横桟端面と縦溝底で挟持することによりスペーサを固定状態で支持できるようになること、スペーサが軽量かつ曲げ剛性が向上すること、丸パイプに比べ、横桟のスペーサによる支持面積ないし支持箇所が増えて横桟の架設状態が安定すること、分解したときには転がることがなく、取扱が容易となること、既存の角パイプを切断することにより横桟及びスペーサを容易に得ることができること、横桟についてもスペーサと同じサイドの角パイプにすると、同じサイズの角パイプを切断するだけで横桟及びスペーサを得ることができること等の効果を奏する。
【００２８】
請求項２に係わる発明によると、スペーサを丸棒内側に差し込むようにしたことにより、丸棒がつっかえとなってスペーサが支持され、縦溝からの倒れが防止される。請求項３に係わる発明によると、排出口が取付けられる横桟より上方の横桟は、排出口を取り外すことなく取り外すことができるため、排出口を取付たのちにコンテナ内に入り込む必要が生じた場合でも、上側部の横桟を取外すことにより、コンテナ内に入り込むのが比較的容易に行えるようになる。
【００２９】
請求項４に係わる発明においては、フックを横桟に引掛けるだけで排出口を横桟に直接取付けることができ、請求項５に係わる発明においては、係止部を横桟の被係止部に係止することにより排出口を固定することができ、排出口固定のための手段を横桟に設ける必要がない。
【００３０】
請求項６に係わる発明によると、縦桟を止め金具により位置決めして固定することができること、縦桟が固定状態で支持されることにより、縦桟に連結される横桟の取付状態及び排出口の取付状態が安定すること、等の効果を奏する。
【図面の簡単な説明】
【図１】汎用コンテナ後部の概略横断面図。
【図２】粉粒体を排出するときの態様を示す斜視図。
【図３】本発明に係わる内袋用セッティング枠の分解斜視図。
【図４】縦溝内にスペーサを装着したときの横断面図。
【図５】横桟を横架したときの横桟端部の支持状態を示す図。
【図６】内袋用セッティング枠を組付けたときの斜視図。
【符号の説明】
１・・側壁
２・・ドア
３・・ヒンジ
４・・縦溝
５・・丸棒
６・・荷台
７・・汎用コンテナ
８・・出入口
９・・内袋用セッティング枠
１１・・横桟
１２ａ、１２ｂ、１２ｃ・・スペーサ
１３、１９・・フック
１４・・縦桟
１５・・止め金具
１６・・排出金具
１７・・当て片
１８・・コ字状の金具
【図１】
0003961878.tif 000002
【図２】
0003961878.tif 000003
【図３】
0003961878.tif 000004
【図４】
0003961878.tif 000005
【図５】
0003961878.tif 000006
【図６】
0003961878.tif 000007